(57)【要約】  表示装置の補正方法において、制御部は、表示部に表示された全画面黒表示の明るさ情報と位置情報とを検出した黒ムラ情報を受信して、記憶部に記憶させる。また、表示する画像の輝度情報に応じて、制御部は、記憶部が記憶する黒ムラ情報に基づいて、輝度が低いと判定される位置の透過率を高くする補正情報を生成し、映像信号処理部に供給して表示部の透過率を高くする補正を行う（液晶透過率波形２２）。また、表示する画像の輝度情報に応じて、制御部は、補正情報に基づいて光源部の発光量を減らす補正を行う(バックライト輝度波形７３)。
2011121630.tif 000002
【特許請求の範囲】
【請求項１】
表示信号に基づいて光に対する透過率を変調して画像を表示する表示部と、前記表示部に前記光を照射する光源部と、供給される映像情報に基づき前記表示信号を生成し、且つ、補正情報に基づいて前記表示信号を補正する映像信号処理部とを備える表示装置における補正方法であって、
前記表示部に全画面黒画像の表示を行い、前記表示部に表示された前記全画面黒画像の表示状態として表示位置ごとに検出された表示位置ごとの明るさ情報と、前記表示位置を示す位置情報とを含む黒ムラ情報を検出する黒ムラ検出過程と、
前記表示する画像の輝度情報に応じて、前記黒ムラ情報の前記明るさ情報に基づいて輝度が低いと判定される位置の前記透過率を高くする前記補正を行わせる前記補正情報を生成し、前記映像信号処理部に前記補正情報を供給する透過率補正過程と、
前記表示する画像の輝度情報に応じて、前記補正情報に基づいて前記光源部の発光量を減らす光源補正過程と
を含むことを特徴とする補正方法。
【請求項２】
前記補正情報は、
前記全画面黒表示である場合において検出された前記黒ムラ情報の中で最も明るい位置の明るさと均一になるように透過率を高めるための情報であり、
前記光源補正過程は、
前記補正情報に基づいて、前記全画面黒表示である場合において検出された前記黒ムラ情報の中で最も暗い位置の明るさと等しくなるように前記光源部の発光量を減らす
ことを特徴とする請求項１に記載の補正方法。
【請求項３】
前記表示する画像の輝度情報は、前記映像信号処理部が前記映像情報に基づき算出した平均輝度情報であり、
前記透過率補正過程と前記光源補正過程とは、
前記平均輝度情報が予め定められた値よりも低い場合に行われる
ことを特徴とする請求項１又は請求項２に記載の補正方法。
【請求項４】
表示信号に基づいて光に対する透過率を変調して画像を表示する表示部と、
前記表示部に前記光を照射する光源部と、
供給される映像情報に基づき前記表示信号を生成し、且つ、補正情報に基づいて、前記表示信号を補正する映像信号処理部と、
前記表示部に全画面黒画像の表示を行い、前記表示部に表示された前記全画面黒画像の表示状態として表示位置ごとに検出された表示位置ごとの明るさ情報と、前記表示位置を示す位置情報とを含む黒ムラ情報を受信し、
前記表示する画像の輝度情報に応じて、前記黒ムラ情報の前記明るさ情報に基づいて輝度が低いと判定される位置の前記透過率を高くする前記補正を行わせる前記補正情報を生成し、前記映像信号処理部に前記補正情報を供給する透過率補正処理と、
前記表示する画像の輝度情報に応じて、前記補正情報に基づいて前記光源部の発光量を減らす光源補正処理と
を行う制御部と
を備えることを特徴とする表示装置。
【発明の詳細な説明】
【技術分野】
【０００１】
本発明は、表示ムラを補正する補正方法及び表示装置に関する。
【背景技術】
【０００２】
表示装置であるＬＣＤ（Liquid Crystal Display）モニターは、表示する画像に応じて液晶パネルの透過量を制御し、その背面に設けられたバックライト部から照射される光量を変調して画像を表示する。このようなＬＣＤモニターは、様々な要因により、部分的に表示の明るさや色が不均一になる表示ムラが発生する場合がある。また、表示ムラは、高輝度表示している場合と、低輝度表示している場合とで発生する要因と場所が異なる。高輝度表示している場合は、液晶パネルに供給される信号レベルが高く、高い透過率となるため、透過率特性のばらつきによる影響が大きい。このため、高輝度表示している場合は、液晶パネル周辺部の輝度が低下する傾向にある。【０００３】
ところが、低輝度表示している場合は、液晶パネルに供給される信号レベルが低く、透過率が低いため、透過率特性のばらつきとは異なる要因による影響が大きい。液晶パネルは、画面全体に黒を表示する全画面黒表示される場合に光に対する透過率が最も低くなる。しかし、液晶パネル周辺部分の光漏れや、液晶パネル周辺部に圧力がかかることによる液晶の変化などの要因により透過率が均一にならず、部分的に明るい部分が発生する。この部分的に明るい部分を黒ムラという。この黒ムラは、表示画面の周辺部分に発生しやすい。この黒ムラに対して、補正を行い改善する技術が開示されている（特許文献１又は特許文献２を参照）。
【先行技術文献】
【特許文献】
【０００４】
【特許文献１】特開平１０−８４５５１号公報
【特許文献２】特開２００９−１２８７３３号公報
【発明の概要】
【発明が解決しようとする課題】
【０００５】
しかしながら、特許文献１に示される補正方法及び表示装置では、液晶パネルに供給する信号レベルを補正することにより液晶の透過率を変更して、黒ムラを改善する。しかし、画像の表示に使用できる輝度幅が狭くなるため、コントラストが低下する問題がある。また。特許文献２に示される補正方法及び表示装置では、液晶パネルに供給する信号レベルの補正とバックライト部の明るさを制御することにより、コントラストを維持しつつ、黒ムラに対応した補正がある程度可能である。しかし、この補正方法及び表示装置では、表示領域ごとにバックライトの明るさを制御する複雑な制御を必要とする。また、信号レベルの補正は、高輝度表示している場合に測定した測定値に基づいて補正しているため、黒ムラに対して十分に対応できない。
このように、特許文献１又は特許文献２に示される補正方法及び表示装置では、コントラストを維持しつつ、黒ムラを改善できないという問題がある。【０００６】
本発明は、上記問題を解決すべくなされたもので、その目的は、コントラストを維持しつつ、黒ムラを改善する補正方法及び表示装置を提供することにある。
【課題を解決するための手段】
【０００７】
上記問題を解決するために、本発明は、表示信号に基づいて光に対する透過率を変調して画像を表示する表示部と、前記表示部に前記光を照射する光源部と、供給される映像情報に基づき前記表示信号を生成し、且つ、補正情報に基づいて前記表示信号を補正する映像信号処理部とを備える表示装置において、前記表示部に全画面黒画像の表示を行い、前記表示部に表示された前記全画面黒画像の表示状態として表示位置ごとに検出された表示位置ごとの明るさ情報と、前記表示位置を示す位置情報とを含む黒ムラ情報を検出する黒ムラ検出過程と、前記表示する画像の輝度情報に応じて、前記黒ムラ情報の前記明るさ情報に基づいて輝度が低いと判定される位置の前記透過率を高くする前記補正を行わせる前記補正情報を生成し、前記映像信号処理部に前記補正情報を供給する透過率補正過程と、前記表示する画像の輝度情報に応じて、前記補正情報に基づいて前記光源部の発光量を減らす光源補正過程とを含む補正方法である。
【発明の効果】
【０００８】
本発明によれば、表示装置における補正方法は、表示部に全画面黒画像の表示を行い、表示部に表示された全画面黒画像の表示状態として表示位置ごとに検出された表示位置ごとの明るさ情報と、表示位置を示す位置情報とを含む黒ムラ情報を検出する。また、補正方法は、表示する画像の輝度情報に応じて、黒ムラ情報の明るさ情報に基づいて輝度が低いと判定される位置の透過率を高くする補正を行わせる補正情報を生成し、映像信号処理部に補正情報を供給して透過率を高める補正を行う。補正方法は、表示する画像の輝度情報に応じて、補正情報に基づいて光源部の発光量を減らす補正を行う。本発明の補正方法では、全画面黒表示の状態において検出した表示部の黒ムラ情報に基づいて、透過率を高める補正及び光源部の発光量を減らす補正を行うため、黒ムラが改善される。また、画像の輝度情報に応じて、光源部の発光量を減らす補正を行うため、補正方法では、画像の表示に使用できる輝度幅を広げることができる。このため、本発明の補正方法は、コントラストの低下を防止できる。これにより、本発明の補正方法は、コントラストを維持しつつ、黒ムラを改善できる。
【図面の簡単な説明】
【０００９】
【図１】本実施形態による表示補正システムを示すブロック図である。
【図２】同実施形態における補正原理を示す図である。
【図３】同実施形態における補正処理を示すフローチャートである。
【発明を実施するための形態】
【００１０】
以下、本発明の一実施形態による補正方法及び表示装置を、図面を参照して説明する。
図１は、本実施形態による表示装置と調整冶具による表示補正システムを示すブロック図である。
図１が示す表示補正システム１００は、表示装置であるＬＣＤ（Liquid Crystal Display）モニター１と調整冶具２とを備える。
【００１１】
ＬＣＤモニター１は、信号受信部１０、映像信号処理部２０、制御部３０、ＥＥＰＲＯＭ（Electrically Erasable Programmable Read Only Memory）４０、ＬＶＤＳ（Low voltage differential signaling）インタフェース部５０、液晶パネル６０、及びバックライト部７０を備える。
信号受信部１０は、映像信号処理部２０と信号線により接続される。信号受信部１０は、図示しない外部装置から供給されるビデオ信号などの映像信号を受信し、映像信号処理部２０に供給する。
【００１２】
映像信号処理部２０は、信号受信部１０とＬＶＤＳインタフェース部５０との間に配置される。映像信号処理部２０は、信号受信部１０から供給される映像信号を、ＬＣＤモニター１が使用可能な解像度に変換するスケーラーである。映像信号処理部２０は、映像信号に基づいて解像度を変換した表示信号を生成し、生成した表示信号をＬＶＤＳインタフェース部５０に供給する。
また、映像信号処理部２０は、制御信号線により制御部３０と接続される。映像信号処理部２０は、制御部３０から制御信号線を介して供給される補正情報に基づいて、表示信号の補正を行う。また、映像信号処理部２０は、信号受信部１０から供給される映像信号に基づいて、平均輝度情報であるＡＰＬ（Average Picture Level：平均画像レベル）情報を算出する。算出されたＡＰＬ情報は、制御信号線を介して制御部３０に供給される。なお、ＡＰＬ情報は、表示する画像の平均輝度の値を示す。
【００１３】
ＬＶＤＳインタフェース部５０は、映像信号処理部２０と液晶パネル６０との間に配置される。ＬＶＤＳインタフェース部５０は、映像信号処理部２０から供給される表示信号を液晶パネル６０が使用する小振幅の差動信号に変換する。ＬＶＤＳインタフェース部５０は、表示信号を変換した小振幅の差動信号を液晶パネル６０に供給する。
液晶パネル６０は、映像を表示する表示面を有する表示部であり、ＬＶＤＳインタフェース部５０から供給される小振幅の差動信号に基づき、バックライト部７０から照射される光に対する透過率を変調して画像を表示する。
バックライト部７０は、液晶パネル６０に対して表示面の裏側となる背面に配置され、液晶パネル６０の背面側から光を照射する光源部である。
【００１４】
制御部３０は、映像信号処理部２０及びバックライト部７０に制御信号線を介して接続され、映像信号処理部２０及びバックライト部７０を制御する。また、制御部３０は、ＥＥＰＲＯＭ４０に信号線を介して接続される。制御部３０は、調整冶具２から供給される情報をＥＥＰＲＯＭ４０に記憶させる。また、制御部３０は、ＥＥＰＲＯＭ４０を参照して得た情報に基づいて、補正情報を生成する。制御部３０は、生成した補正情報を映像信号処理部２０に供給して、液晶パネル６０の透過率を補正する。また、制御部３０は、生成した補正情報に基づいて、バックライト部７０の発光量を制御する。ここで、調整冶具２から供給される情報は、例えば、全画面黒表示の状態を測定して検出された液晶パネル６０上の位置情報と明るさ情報である。
ＥＥＰＲＯＭ４０は、電気的に書き換え可能な不揮発性の記憶部である。ＥＥＰＲＯＭ４０は、制御部３０によって書き込まれた液晶パネル６０上の位置情報と明るさ情報を記憶する。
【００１５】
調整冶具２は、ＬＣＤモニター１の黒ムラを補正するために使用する冶具であり、主にＬＣＤモニター１の出荷前の調整工程において使用される。調整冶具２は、調整工程を行う際にＬＣＤモニター１と接続される。
ここで、黒ムラについて示す。液晶パネル６０は、全画面黒表示される場合に光に対する透過率が最も低くなる。また、液晶パネル６０周辺部分の光漏れや液晶パネル６０周辺部に圧力がかかることによる液晶の変化などの要因により透過率が均一にならず、部分的に明るい部分が発生する。この部分的に明るい部分を黒ムラという。
【００１６】
調整冶具２は、カメラ部８０及び調整部９０を備える。カメラ部８０は、調整部９０に信号線を介して接続される。また、カメラ部８０は、ＬＣＤモニター１の表示面に対向して配置され、液晶パネル６０に表示される画像を検出し、検出した画像情報を調整部９０に供給する。
調整部９０は、調整工程を行う際に、ＬＣＤモニター１の制御部３０に信号線を介して接続される。調整部９０は、カメラ部８０から供給される画像情報を処理し、液晶パネル６０上の位置情報と明るさ情報を検出する。また、調整部９０は、検出した液晶パネル６０上の位置情報と明るさ情報を制御部３０に供給する。
【００１７】
次に、本実施形態における黒ムラの補正方法について説明する。
図２は、本実施形態における表示補正原理を示す図である。
図２（ａ）は黒ムラの補正前の状態、図２（ｂ）は液晶透過率補正を行った状態、図２（ｃ）はバックライト補正を行った状態をそれぞれ示す。また、図２において、上の段から、液晶パネル６０の表示状態を示す画像イメージ、液晶パネル６０の横方向の断面における輝度（明るさ）を示す画像イメージ（明るさ）波形、液晶パネル６０の透過率の変化を示す液晶透過率波形、及びバックライト輝度（明るさ）の変化を示すバックライト輝度（明るさ）波形をそれぞれ示す。
【００１８】
図２（ａ）は、黒ムラの補正前の状態を示している。この図において、ＬＣＤモニター１は、液晶パネル６０の画面全体に黒を表示する全画面黒表示の状態である。この状態において、液晶パネル６０を正面から見た状態を示す画像イメージ６１は、表示パネル６０の左右の両端付近に明るい部分（黒ムラ）が発生する。また、その際の横方向の断面における画像イメージ波形９１では、同じく左右の両端付近が明るくなっていることが示される。また、液晶透過率波形２１では、同様に左右の両端付近の透過率が高いことが示される。バックライト輝度波形７１では、あるレベルの明るさにおいて均一な光を照射していることが示される。
【００１９】
図２（ｂ）は、図２（ａ）の状態に、液晶の透過率を補正する透過率補正処理を行った状態を示している。透過率補正処理は、黒ムラが発生していない液晶パネル６０の中央付近を、黒ムラが発生している左右の両端付近の明るさと均一になるように、液晶パネル６０の透過率を高める補正を行う。つまり、透過率補正処理は、黒ムラが発生している部分で最も明るい位置の明るさと均一になるように、液晶パネル６０の透過率を高める補正を行う。液晶透過率波形２２がこの状態を示す。なお、この透過率を高める補正は、映像信号処理部２０によって行われる。この透過率補正処理により、画像イメージ６２及び画像イメージ波形９２が示すように、表示ムラはないが、全体的に明るくなった表示状態となる。
また、この図において、バックライト輝度波形７２は、バックライト輝度波形７１と同じ均一なレベルの明るさを示す。
【００２０】
図２（ｃ）は、図２（ｂ）の状態に、光源補正処理であるバックライト補正処理を行った状態を示している。バックライト補正処理は、バックライト部７０の発光量を減らして、液晶パネル６０の全画面が、図２（ａ）に示される補正前の中央部分の黒レベル（黒の明るさ）と等しくなるように、バックライト部７０の発光量を減らす補正を行う。つまり、バックライト輝度波形７３が示すように、光源補正処理は、液晶パネル６０の透過率を補正する前の最も暗い位置の明るさと等しくなるようにバックライト部７０の発光量を減らす補正を行う。その結果、画像イメージ６３及び画像イメージ波形９３が示すように、図２（ａ）に示される状態に比べて、黒ムラのない均一な黒を表示する状態となる。
なお、この図において、液晶透過率波形２３は、液晶透過率波形２２と同じ波形を示す。
【００２１】
次に、本実施形態による補正方法の動作を、図１及び図３を参照して説明する。
図３は、本実施形態における補正処理を示すフローチャートである。
図３において、ステップＳ３０１とステップＳ３０２の処理は、ＬＣＤモニター１の出荷前の調整工程における処理を示す。
調整冶具２は、調整工程を行う際にＬＣＤモニター１と接続される。具体的には、ＬＣＤモニター１における制御部３０が信号線を介して調整冶具２における調整部９０に接続される。また、液晶パネル６０の表示面に対向した位置にカメラ部８０が配置される。
【００２２】
まず、ステップＳ３０１において、ＬＣＤモニター１は、液晶パネル６０に全画面黒表示をする。この処理は、例えば、図示しない外部装置から供給される映像信号に基づいて、行われても良い。調整冶具２のカメラ部８０は、液晶パネル６０に表示される画像を検出し、検出した画像情報を調整部９０に供給する。調整部９０は、カメラ部８０から供給される画像情報を処理し、黒ムラの液晶パネル６０上の位置情報と明るさ情報を検出する。そして、調整部９０は、検出した液晶パネル６０上の位置情報と明るさ情報を液晶パネル６０の黒ムラ情報として、ＬＣＤモニター１の制御部３０に供給する。
【００２３】
次に、ステップＳ３０２において、ＬＣＤモニター１の制御部３０は、調整部９０から供給された液晶パネル６０の黒ムラ情報をＥＥＰＲＯＭ４０に記憶させる。このステップＳ３０２の処理により、調整工程が完了する。
【００２４】
続くステップＳ３０３とステップＳ３０４の処理は、図示しない外部装置から供給される映像信号に基づいて表示する通常動作状態におけて行われる補正処理を示す。
【００２５】
ステップＳ３０３において、制御部３０は、ＥＥＰＲＯＭ４０が記憶する黒ムラ情報を参照し、この黒ムラ情報に基づいて補正情報を生成する。補正情報は、黒ムラが発生している最も明るい位置の明るさと均一になるように、液晶パネル６０の各位置の透過率を高める補正値を示す情報である。制御部３０は、黒ムラ情報に基づいて生成した補正情報を映像信号処理部２０に供給する。
映像信号処理部２０は、映像信号に基づいて解像度を変換した表示信号を生成する。また、映像信号処理部２０は、制御部３０から供給された補正情報に基づいて表示信号に液晶の透過率を高める補正を行い、ＬＶＤＳインタフェース部５０に供給する。ＬＶＤＳインタフェース部５０は、映像信号処理部２０から供給される表示信号を小振幅の差動信号に変換し、表示信号を変換した小振幅の差動信号を液晶パネル６０に供給する。これにより、黒ムラが発生している最も明るい位置の明るさと均一になるように、液晶パネル６０の各位置の透過率を高める補正（透過率補正処理）が行われる。
【００２６】
次に、ステップＳ３０４において、制御部３０は、透過率を高める補正値を示す補正情報に基づいて、バックライト部７０の発光量を減らす制御を行う。つまり、制御部３０は、全画面黒表示である場合に検出された黒ムラ情報の中で、最も暗い位置の明るさ（黒表示レベル）と等しくなるようにバックライト部７０の発光量を減らす制御を行う。これは、補正情報の内、最も大きい透過率補正値により上昇した分の輝度を、バックライト部７０の発光量を減らすことによって、画面の輝度を下げる補正である。従って、制御部３０は、バックライト部７０の発光量を減らすための制御情報を、補正情報の最大透過率補正値から算出する。なお、この制御情報は、輝度に対する透過率と発光量の関係（比率）により算出する。これにより、全画面黒表示である場合に最も暗い位置の明るさと等しくなるようにバックライト部７０の発光量を減らす補正（光源補正処理）が行われる。
【００２７】
なお、上述の透過率補正処理（ステップＳ３０３の処理）、及び光源補正処理（ステップＳ３０４の処理）は、液晶パネル６０の画面が全体的に暗いと判定された場合に、制御部３０によって行われる。その判定では、制御部３０により、映像信号処理部２０から制御信号線を介して供給されるＡＰＬ情報が、予め定められた値（例えば、最大輝度値の１／４の値）よりも低いか否かが判定される。制御部３０は、ＡＰＬ情報が予め定められた値よりも低いと判定した場合に、透過率補正処理（ステップＳ３０３の処理）、及び光源補正処理（ステップＳ３０４の処理）を行う。
一方、液晶パネル６０の画面の一部に明るい部分がある場合には、透過率補正処理（ステップＳ３０３の処理）において、明るい部分が飽和する場合が生じる。更にこの飽和された状態において、光源補正処理（ステップＳ３０４の処理）を行うと、補正前の輝度よりも輝度が低下する場合も生じる。従って、予め定められた輝度値は、例えば、透過率補正処理（ステップＳ３０３の処理）により、表示する画像の大部分が飽和するか否かを考慮して定めても良い。
【００２８】
以上のように、本実施形態における補正方法及びＬＣＤモニター１は、液晶パネル６０に全画面黒表示させる。制御部３０は、全画面黒表示の明るさ情報と位置情報を調整冶具２が検出した液晶パネル６０の黒ムラ情報を受信して、記憶部であるＥＥＰＲＯＭ４０に記憶させる。また、制御部３０は、映像信号処理部２０から供給されるＡＰＬ情報に基づいて液晶パネル６０の画面が全体的に暗いと判定された場合に、透過率補正処理（ステップＳ３０３の処理）、及び光源補正処理（ステップＳ３０４の処理）を行う。制御部３０は、全画面黒表示の状態で検出した液晶パネル６０の黒ムラ情報に基づいて、液晶パネル６０の透過率を高める透過率補正処理（ステップＳ３０３の処理）とバックライト部７０の発光量を減らす光源補正処理（ステップＳ３０４の処理）を行う。このため、本実施形態における補正方法及びＬＣＤモニター１では、黒ムラを改善することができる。
【００２９】
また、光源補正処理（ステップＳ３０４の処理）は、黒ムラ情報に基づいて生成された補正情報に基づいて、バックライト部７０の発光量を減らす補正を行う処理である。このため、補正方法及びＬＣＤモニター１では、画像の表示に使用できる輝度幅を広げることができる。これにより、補正方法及びＬＣＤモニター１は、コントラストの低下を防止できる。つまり、本実施形態における補正方法及びＬＣＤモニター１は、コントラストを維持しつつ、黒ムラを改善できる。
【００３０】
また、透過率補正処理（ステップＳ３０３の処理）は、黒ムラが発生している最も明るい位置の明るさと均一になるように透過率を高める補正処理である。このため、制御部３０は、全画面黒表示の明るさ情報と位置情報を含む黒ムラ情報から容易に補正情報を算出できる。また、光源補正処理（ステップＳ３０４の処理）は、全画面黒表示である場合に最も暗い位置の明るさと等しくなるようにバックライト部７０の発光量を減らす補正処理である。このため、制御部３０は、バックライト部７０の発光量を減らすための制御情報を、輝度に対する透過率と発光量の関係（比率）を用いて補正情報の最大透過率補正値から算出できる。また、制御部３０は、表示領域ごとにバックライトの明るさを制御するなどの複雑な制御を行わずに黒ムラの補正ができる。本実施形態における補正方法及びＬＣＤモニター１は、特許文献１又は特許文献２が示す補正方法に比べて簡易な制御により、黒ムラを改善できる。
【００３１】
なお、本発明の実施形態によれば、表示信号に基づいて光に対する透過率を変調して画像を表示する液晶パネル６０と、液晶パネル６０に光を照射するバックライト部７０と、供給される映像信号に基づき液晶パネル６０に画像を表示させる表示信号を生成し、且つ、補正情報に基づいて表示信号を補正する映像信号処理部２０とを備えるＬＣＤモニター１における補正方法は、液晶パネル６０に全画面黒画像の表示を行い、液晶パネル６０に表示された全画面黒画像の表示状態として表示位置ごとに検出された表示位置ごとの明るさ情報と、その表示位置を示す位置情報とを含む黒ムラ情報を検出する黒ムラ検出過程（ステップＳ３０１、Ｓ３０２）と、表示する画像の輝度情報（ＡＰＬ情報）に応じて、ＥＥＰＲＯＭ４０が記憶する黒ムラ情報の明るさ情報に基づいて輝度が低いと判定される位置の透過率を高くする補正を行わせる補正情報を生成し、映像信号処理部２０に補正情報を供給する透過率補正過程（ステップＳ３０３）と、表示する画像の輝度情報（ＡＰＬ情報）に応じて、補正情報に基づいてバックライト部７０の発光量を減らす光源補正過程（ステップＳ３０４）とを含む。
【００３２】
この補正方法では、全画面黒表示の状態で検出した液晶パネル６０の黒ムラ情報に基づいて、透過率を高める補正とバックライト部７０の発光量を減らす補正とが行われる。これにより、黒ムラが改善される。また、光源補正過程（ステップＳ３０４）では、画像の輝度情報（ＡＰＬ情報）に応じて、黒ムラ情報に基づいて生成された補正情報に基づいて、バックライト部７０の発光量を減らす補正が行われる。このため、この補正方法では、画像の表示に使用できる輝度幅を広げることができる。これにより、この補正方法では、コントラストの低下を防止することができる。つまり、本実施形態における補正方法では、コントラストを維持しつつ、黒ムラを改善することができる。
【００３３】
また、本実施形態に示される補正情報は、全画面黒表示である場合において検出された黒ムラ情報の中で最も明るい位置の明るさと均一になるように透過率を高めるための情報である。また、光源補正過程（ステップＳ３０４）では、補正情報に基づいて、全画面黒表示である場合において検出された黒ムラ情報の中で最も暗い位置の明るさと等しくなるようにバックライト部７０の発光量を減らす補正が行われる。
これにより、補正情報は、全画面黒表示の明るさ情報と位置情報を含む黒ムラ情報から比較的簡単に算出できる。また、光源補正過程（ステップＳ３０４）では、バックライト部７０の発光量を減らすための制御情報が、補正情報の最大透過率補正値から容易に算出できる。また、光源補正過程（ステップＳ３０４）では、表示領域ごとにバックライトの明るさを制御するなどの複雑な制御を行わずに補正ができる。この補正方法では、簡易な制御により、黒ムラを改善できる。
【００３４】
また、本実施形態に示される表示する画像の輝度情報は、映像信号処理部２０が映像情報に基づき算出した平均輝度情報（ＡＰＬ情報）であり、透過率補正過程と光源補正過程とは、平均輝度情報（ＡＰＬ情報）が予め定められた値よりも低い場合に行われる。
これにより、液晶パネル６０の画面に明るい部分がある場合、透過率補正過程（ステップＳ３０３）において明るい部分が飽和して、光源補正過程（ステップＳ３０４）において、補正前の輝度よりも輝度が低下することを防止できる。
【００３５】
なお、本発明は、上記の実施形態に限定されるものではなく、本発明の趣旨を逸脱しない範囲で変更可能である。上記の実施形態において、記憶部としてＥＥＰＲＯＭ４０を用いる形態を説明したが、これに限定されるものではなく、フラッシュメモリやバックアップ電源付きのＳＲＡＭ（Static Random Access Memory）などのメモリを用いる形態でも良い。また、液晶パネル６０に表示信号を供給するインタフェースとしてＬＶＤＳインタフェースを用いる形態を説明したが、これに限定されるものではなく、他の小振幅インタフェースを用いる形態でも良いし、ＣＭＯＳ（Complementary Metal Oxide Semiconductor）レベルのインタフェースを用いる形態でも良い。
また、上記の実施形態において、調整工程を行う際に、液晶パネル６０に全画面黒表示をする処理は、図示しない外部装置から供給される映像信号に基づいて行われる形態を説明した。しかし、これに限定されるものではなく、制御部３０の制御に基づき、映像信号処理部２０が、映像信号を用いずに全画面黒表示する状態を作り出しても良い。
【００３６】
また、調整工程を行う際に、制御部３０がＥＥＰＲＯＭ４０に液晶パネル６０上の位置情報と明るさ情報を液晶パネル６０の黒ムラ情報として記憶させる形態を説明した。しかし、これに限定されるものではなく、制御部３０が、調整工程のステップＳ３０２において、透過率を高めるための補正情報や、バックライト部７０の発光量を減らすための制御情報を予め生成して、ＥＥＰＲＯＭ４０に記憶させる形態でも良い。
また、液晶パネル６０の画面が全体的に暗い場合の判定に、平均輝度情報であるＡＰＬ情報を用いる形態を説明したが、これに限定されるものではなく、他の情報を用いても良い。例えば、ＬＣＤモニター１の使用者によるキー入力操作により、画面全体の輝度が設定されるような場合では、設定される輝度値に基づいて判定する形態でも良い。この場合、液晶パネル６０の画面が全体的に暗い場合の判定は、設定される輝度値が予め定められた値より低いか否かによって行われても良い。また、画面の輝度を検出するセンサーなどを設けて、検出された画像の輝度情報を用いる形態でも良い。
【００３７】
また、ＡＰＬ情報の算出は、映像信号の１画面分全画素の情報から算出しても良いし、表示領域を分割して間引いた画素の情報から算出しても良い。また、透過率を高めることで明るい部分が飽和し易い液晶パネル６０の中央部分の画素の情報から算出しても良い。
【００３８】
上述のＬＣＤモニター１は内部に、コンピュータシステムを有している。そして、上述した補正処理の処理過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【符号の説明】
【００３９】
１  ＬＣＤモニター
２  調整冶具
１０  信号受信部
２０  映像信号処理部
２１、２２、２３  液晶透過率波形
３０  制御部
４０  ＥＥＰＲＯＭ
５０  ＬＶＤＳインタフェース部
６０  液晶パネル
６１、６２、６３  画像イメージ
７０  バックライト部
７１、７２、７３  バックライト輝度波形
８０  カメラ部
９０  調整部
９１、９２、９３  画像イメージ波形
１００  表示補正システム
【図１】
2011121630.tif 000003
【図２】
2011121630.tif 000004
【図３】
2011121630.tif 000005
【国際調査報告】
2011121630.tif 000006
2011121630.tif 000007
2011121630.tif 000008
2011121630.tif 000009